(57)【要約】【課題】ＰＬＬがロックした安定した再生動作により光ディスクが正規品か海賊版かを確実に判定することができる光ディスク、光ディスク再生方法および光ディスク再生装置を提供する。【解決手段】光ディスクの複数の分割区間のそれぞれに低速および高速のいずれかの線速度でデータを記録し、複数の分割区間のそれぞれの線速度の変化の状態（低速Ａまたは高速Ｂ）から、光ディスクの固有の符号ＡＢＡＡＢＡＢＢを埋め込む。高速および低速の線速度は、光ディスクの再生装置によりデータが読み出し可能な許容範囲内に設定されている。【選択図】        図１
2006004497.tif 000002
【特許請求の範囲】
【請求項１】
ピット列からなるデータが渦巻状または同心円状に記録された光ディスクであって、
トラック位置により区別される複数の分割区間毎に、前記光ディスクの再生装置により前記データが読み出し可能な許容範囲内に線速度を変化させてデータを記録することにより、前記複数の分割区間のそれぞれの線速度の変化の状態が固有の符号として埋め込まれたことを特徴とする光ディスク。
【請求項２】
前記分割区間は、
高速および低速のいずれかの一定の線速度でデータが記録された有効区間と、
前の分割区間の有効区間および次の分割区間の有効期間との線速度が一致するときには、前の分割区間の有効区間の線速度でデータが記録され、前の分割区間の有効区間および次の分割区間の有効期間の線速度が異なるときには、前の分割区間の有効区間の線速度から次の分割区間の有効期間の線速度に線速度がゆるやかに変化してデータが記録された遷移区間とを有し、
前記固有の符号は、前記複数の分割区間のそれぞれの有効区間で設定された高速および低速のいずれかの線速度を示す２値データにより構成されることを特徴とする請求項１記載の光ディスク。
【請求項３】
前記複数の分割区間には、線速度を低速に維持する低速維持モードと、線速度を低速から高速にゆるやかに変化させる高速変化モードと、線速度を高速に維持する高速維持モードと、線速度を高速から低速にゆるやかに変化させる低速変化モードとが選択的に切り換えられてデータが記録されていることを特徴とする請求項１記載の光ディスク。
【請求項４】
前記固有の符号は、前記低速維持モード、前記高速変化モード、前記高速維持モードおよび前記低速変化モードの４つモードのそれぞれに対応する４値のデータにより構成されることを特徴とする請求項３記載の光ディスク。
【請求項５】
前記固有の符号は、前記低速維持モードおよび前記高速維持モードを包含する速度維持モードと、前記高速変化モードと、前記低速変化モードとの３つのモードのそれぞれに対応する３値のデータにより構成されることを特徴とする請求項３記載の光ディスク。
【請求項６】
前記固有の符号は、前記低速維持モードおよび前記高速維持モードを包含する速度維持モードと、前記高速変化モードおよび前記低速変化モードを包含する速度変化モードとの２つのモードのそれぞれに対応する２値のデータにより構成されることを特徴とする請求項３記載の光ディスク。
【請求項７】
前記データが読み出し可能な許容範囲は、前記再生装置のＰＬＬ（Phase Locked Loop）がロックした状態でデータが読み出し可能な許容範囲であることを特徴とする請求項１記載の光ディスク。
【請求項８】
ピット列からなるデータが渦巻状または同心円状に記録された光ディスクであって、トラック位置により区別される複数の区間毎に、前記光ディスクの再生装置により前記データが読み出し可能な許容範囲内に線速度を変化させて、前記複数の区間のそれぞれの線速度の変化の状態が固有の符号として埋め込まれた光ディスクの前記固有の符号を復号する光ディスク再生方法であって、
あらかじめ前記複数の区間のそれぞれを代表するトラックの線速度のしきい値を記憶する記憶ステップと、
前記複数の区間のそれぞれを代表するトラックの線速度を検出する検出ステップと、
前記検出ステップにより検出されたトラックの線速度と、前記記憶ステップにより記憶された対応する区間の線速度のしきい値とを比較する比較ステップと、
前記比較ステップにより比較された比較情報に基づいて前記固有の符号を復号する復号ステップとを含むことを特徴とする光ディスク再生方法。
【請求項９】
ピット列からなるデータが渦巻状または同心円状に記録される光ディスクであって、トラック位置により区別される複数の区間毎に、前記光ディスクの再生装置により前記データが読み出し可能な許容範囲内に線速度を変化させて、前記複数の区間のそれぞれの線速度の変化の状態が固有の符号として埋め込まれた光ディスクの前記固有の符号を復号する光ディスク再生装置であって、
あらかじめ前記複数の区間のそれぞれを代表するトラックの線速度のしきい値を記憶する記憶手段と、
前記複数の区間のそれぞれを代表するトラックの線速度を検出する検出手段と、
前記検出手段により検出されたトラックの線速度と、前記記憶手段に記憶された対応する区間の線速度のしきい値とを比較する比較手段と、
前記比較手段の比較情報に基づいて前記固有の符号を復号する復号手段とを備えたことを特徴とする光ディスク再生装置。
【請求項１０】
ピット列からなるデータが渦巻状または同心円状に記録される光ディスクであって、トラック位置により区別される複数の区間毎に、前記光ディスクの再生装置により前記データが読み出し可能な許容範囲内に線速度を変化させて、前記複数の区間のそれぞれの線速度の変化の状態が固有の符号として埋め込まれた光ディスクの前記固有の符号を復号する光ディスク再生方法であって、
前記複数の区間のそれぞれを代表するトラックの線速度を検出する検出ステップと、
前記検出ステップにより検出された前後のトラックの線速度を比較する比較ステップと、
前記比較ステップにより比較された比較情報に基づいて前記固有の符号を復号する復号ステップとを含むことを特徴とする光ディスク再生方法。
【請求項１１】
ピット列からなるデータが渦巻状または同心円状に記録される光ディスクであって、トラック位置により区別される複数の区間毎に、前記光ディスクの再生装置により前記データが読み出し可能な許容範囲内に線速度を変化させて、前記複数の区間のそれぞれの線速度の変化の状態が固有の符号として埋め込まれた光ディスクの前記固有の符号を復号する光ディスク再生装置であって、
前記複数の区間のそれぞれを代表するトラックの線速度を検出する検出手段と、
前記検出手段により検出された前後のトラックの線速度を比較する比較手段と、
前記比較手段により比較された比較情報に基づいて前記固有の符号を復号する復号手段とを備えたことを特徴とする光ディスク再生装置。
【発明の詳細な説明】
【技術分野】
【０００１】
本発明は、例えば、不正コピーを防止するために、いわゆる正規品か海賊版かが判定可能な光ディスク、光ディスク再生方法および光ディスク再生装置に関する。
【背景技術】
【０００２】
従来、ＣＤやＤＶＤ等の光ディスクの不正コピーを有効に防止するために、あらかじめマスターディスクの判定情報を標準規格と異なる独自規格に従って光ディスクに記録しておく技術が提案されている。しかしながら、このような技術にあっては、マスターディスクの判定情報を検出する光ディスク再生装置が複雑かつ大掛かりなものとなってしまうという欠点を有していた。
【０００３】
この欠点を克服するため、一部のトラックの記録転送レートが通常のトラックの記録転送レートより低い光ディスクを用意し、通常の記録転送レートおよび通常より低い記録転送レートのそれぞれに対応するアドレスの光ディスクの回転周期を検出し、両者を比較することにより、比較的簡単な構成により光ディスクが正規品か海賊版かを判定するものが提供されている（例えば特許文献１参照）。
【特許文献１】特許第３２０３９８５号公報
【発明の開示】
【発明が解決しようとする課題】
【０００４】
しかしながら、上記のような従来の技術にあっては、一部のトラックおよび通常のトラックの回転周期を検出するとき、光ディスクの線速度（記録密度）が急激に変化するため、光ディスク再生装置のＰＬＬ（Phase Locked Loop）が追従できず、安定した再生が困難となる問題を残していた。また、転送記録レートが通常より低い一部のトラックは、一箇所にしか設けられていないため、この箇所の再生動作になんらかのエラーが生じたときには、光ディスクが正規品か海賊版かが判定できない場合が想定される。
【０００５】
本発明は、このような事情に鑑みなされたものであり、その目的は、ＰＬＬがロックした安定した再生動作により光ディスクが正規品か海賊版か確実に判定することができる光ディスク、光ディスク再生方法および光ディスク再生装置を提供することにある。
【課題を解決するための手段】
【０００６】
上述の目的を達成するため、本発明の光ディスクは、ピット列からなるデータが渦巻状または同心円状に記録される光ディスクであって、トラック位置により区別される複数の分割区間毎に、前記光ディスクの再生装置により前記データが読み出し可能な許容範囲内に線速度を変化させてデータを記録することにより、前記複数の区間のそれぞれの線速度の変化の状態が固有の符号として埋め込まれたことを特徴とする。
【０００７】
また、本発明の光ディスク再生方法は、ピット列からなるデータが渦巻状または同心円状に記録される光ディスクであって、トラック位置により区別される複数の区間毎に、前記光ディスクの再生装置により前記データが読み出し可能な許容範囲内に線速度を変化させて、前記複数の区間のそれぞれの線速度の変化の状態が固有の符号として埋め込まれた光ディスクの前記固有の符号を復号する光ディスク再生方法であって、あらかじめ前記複数の区間のそれぞれを代表するトラックの線速度のしきい値を記憶する記憶ステップと、前記複数の区間のそれぞれを代表するトラックの線速度を検出する検出ステップと、前記検出ステップにより検出されたトラックの線速度と、前記記憶ステップにより記憶された対応する区間の線速度のしきい値とを比較する比較ステップと、前記比較ステップにより比較された比較情報に基づいて前記固有の符号を復号する復号ステップとを含むことを特徴とする。
【０００８】
また、本発明の光ディスク再生装置は、ピット列からなるデータが渦巻状または同心円状に記録される光ディスクであって、トラック位置により区別される複数の区間毎に、前記光ディスクの再生装置により前記データが読み出し可能な許容範囲内に線速度を変化させて、前記複数の区間のそれぞれの線速度の変化の状態が固有の符号として埋め込まれた光ディスクの前記固有の符号を復号する光ディスク再生装置であって、あらかじめ前記複数の区間のそれぞれを代表するトラックの線速度のしきい値を記憶する記憶手段と、前記複数の区間のそれぞれを代表するトラックの線速度を検出する検出手段と、前記検出手段により検出されたトラックの線速度と、前記記憶手段に記憶された対応する区間の線速度のしきい値とを比較する比較手段と、前記比較手段の比較情報に基づいて前記固有の符号を復号する復号手段とを備えたことを特徴とする。
【０００９】
また、本発明の光ディスク再生方法は、ピット列からなるデータが渦巻状または同心円状に記録される光ディスクであって、トラック位置により区別される複数の区間毎に、前記光ディスクの再生装置により前記データが読み出し可能な許容範囲内に線速度を変化させて、前記複数の区間のそれぞれの線速度の変化の状態が固有の符号として埋め込まれた光ディスクの前記固有の符号を復号する光ディスク再生方法であって、前記複数の区間のそれぞれを代表するトラックの線速度を検出する検出ステップと、前記検出ステップにより検出された前後のトラックの線速度を比較する比較ステップと、前記比較ステップにより比較された比較情報に基づいて前記固有の符号を復号する復号ステップとを含むことを特徴とする。
【００１０】
また、本発明の光ディスク再生装置は、ピット列からなるデータが渦巻状または同心円状に記録される光ディスクであって、トラック位置により区別される複数の区間毎に、前記光ディスクの再生装置により前記データが読み出し可能な許容範囲内に線速度を変化させて、前記複数の区間のそれぞれの線速度の変化の状態が固有の符号として埋め込まれた光ディスクの前記固有の符号を復号する光ディスク再生装置であって、前記複数の区間のそれぞれを代表するトラックの線速度を検出する検出手段と、前記検出手段により検出された前後のトラックの線速度を比較する比較手段と、前記比較手段により比較された比較情報に基づいて前記固有の符号を復号する復号手段とを備えたことを特徴とする。
【発明の効果】
【００１１】
本発明の光ディスクによれば、複数の分割区間毎に、光ディスクの再生装置により前記データが読み出し可能な許容範囲内に線速度を変化させてデータを記録し、前記複数の分割区間のそれぞれの線速度の変化の状態が固有の符号として埋め込まれる。このため、光ディスク再生装置のＰＬＬがロックした安定した再生動作により光ディスクに埋め込まれた固有の符号を読み出す上で有利となる。なお、常にＰＬＬはロックする事が出来る為、通常の記録データの再生動作に影響を与える事はない。また、分割区間の数に応じたデータ数の符号を構成することができるので、信頼性の高い符号を構成することができる。したがって、光ディスクが正規品か海賊版かを判定する上で有利となる。例えば、一部の符号にエラーが生じた場合でも、残り部分の符号から判定を行なうことが可能となる。
【００１２】
本発明の光ディスク再生方法によれば、あらかじめ前記複数の区間のそれぞれを代表するトラックの線速度のしきい値を記憶ステップで記憶しておき、前記複数の区間のそれぞれを代表するトラックの線速度を検出ステップで検出し、前記検出ステップにより検出されたトラックの線速度と、前記記憶ステップにより記憶された対応する区間の線速度のしきい値とを比較ステップで比較し、前記比較ステップにより比較された比較情報に基づいて前記固有の符号を復号ステップで復号する。このため、簡単な方法により光ディスク固有の符号を復号することができる。
【００１３】
本発明の光ディスク再生装置によれば、あらかじめ前記複数の区間のそれぞれを代表するトラックの線速度のしきい値を記憶手段により記憶し、前記複数の区間のそれぞれを代表するトラックの線速度を検出手段により検出し、前記検出手段により検出されたトラックの線速度と、前記記憶手段に記憶された対応する区間の線速度のしきい値とを比較手段により比較し、前記比較手段の比較情報に基づいて前記固有の符号を復号手段により復号する。このため、簡単な構成により光ディスク再生装置を構成することができる。
【００１４】
本発明の光ディスク再生方法によれば、前記複数の区間のそれぞれを代表するトラックの線速度を検出ステップで検出し、前記検出ステップにより検出された前後のトラックの線速度を比較ステップで比較し、前記比較ステップにより比較された比較情報に基づいて前記固有の符号を復号ステップで復号する。このため、簡単な方法により光ディスク固有の符号を復号することができる。
【００１５】
本発明の光ディスク再生装置によれば、前記複数の区間のそれぞれを代表するトラックの線速度を検出手段により検出し、前記検出手段により検出された前後のトラックの線速度を比較手段により比較し、前記比較手段により比較された比較情報に基づいて前記固有の符号を復号手段により復号する。このため、簡単な構成により光ディスク再生装置を構成することができる。
【発明を実施するための最良の形態】
【００１６】
ＰＬＬがロックした安定した再生動作により光ディスクが正規品か海賊版かを確実に判定するという目的を、光ディスクのトラック位置により区別される複数の区間毎に、光ディスクの再生装置により前記データが読み出し可能な許容範囲内に線速度を変化させてデータを記録することにより、複数の区間のそれぞれの線速度の変化の状態を光ディスクに固有の符号として埋め込むことで実現する。
【実施例１】
【００１７】
以下、本発明の実施例１について図面を参照して説明する。
ＣＤ、ＤＶＤ等の光ディスクには、それぞれの規格に従うピット列からなるデータが渦巻状または同心円状に記録されている。ピットの長さおよびピット間の長さは、１Ｔを基準に、ＣＤの場合には３Ｔから１１Ｔまで、ＤＶＤの場合には、３Ｔから１４Ｔまでの整数倍の値をとるように規定されている。ＣＤの場合、１Ｔの長さは、４．３２１８（ＭＨｚ）で読み出されるように規定されているが、実際のピットの長さは、ＣＤにデータを記録するときの線速度により異なる。光ディスクの偏心は、±７０μｍの許容範囲内になるように規定されていることから、線速度は、１．２〜１．４（ｍ／ｓｅｃ）の許容範囲内で一定になるように規定されている。光ディスク再生装置は、光ディスクの偏心の影響による線速度の微小な変動に追従してデータを読み出し可能なように構成されている。なお、線速度が速いときには、１Ｔの長さが長くなるため、データの記録密度が低くなる。線速度が遅いときには、１Ｔの長さが短くなるため、データの記録密度が高くなる。
【００１８】
図１は、実施例１の光ディスクの記録面を示す図である。
図１に示されるように、実施例１の光ディスクの記録面は、ｔ個のトラック毎に分割された複数の分割区間から構成されている。光ディスクは、この分割区間毎に規格で定められた許容範囲内に線速度が変化されてデータが記憶されており、複数の分割区間のそれぞれの線速度の変化の状態が、この光ディスクの固有の符号として埋め込まれている。
【００１９】
具体的には、複数の分割区間は、低速および高速のいずれかの線速度でデータが記録されている。線速度が低速であることは、データ記録密度が密であることに相当し、線速度が高速であることは、データ記録密度が疎であることに相当する。そして、複数の分割区間のデータ記録密度の粗密の状態を内周から外周にかけて並べ、ＡＢＡＡＢＡＢＢの２値の符号が構成されている。この光ディスクを例えばＣＤにより構成する場合、線速度の変化が可能な範囲は、ＣＤ規格の許容範囲である１．２〜１．４（ｍ／ｓｅｃ）となる。
【００２０】
図２は、光ディスクに記録されたデータの記録密度の変化を示す図である。
図２に示されるように、この光ディスクの記録面は、ｔ個のトラック毎に分割された複数の分割区間から構成されている。１つの分割区間は、ｒ個のトラックから構成される有効区間と、ｓ個のトラックから構成される遷移区間とから構成される。有効区間は、データ記録密度の粗密に対応する高速および低速のいずれかの線速度でデータが記録される区間である。遷移区間は、線速度をゆるやかに変化させるために設けられた区間である。この遷移区間を設けることにより、線速度が急激に変化する区間がなくなるので、光ディスク再生装置のＰＬＬがロックした安定した動作により、光ディスクが正規品か海賊版かを判定することができる。
【００２１】
トラックの長さは光ディスクの半径に比例するため、従来のように一定の線速度でデータが記録された場合には、図２中、点線で示されるように、トラック番号とデータ数との関係は、一定の傾きを有する直線となる。これに対し、実施例１の光ディスクは、図２中、太線で示されるように、線速度が低速のときには、データの記録密度が高くなり（Ａの区間）、線速度が高速のときには、データの記録密度が低くなる（Ｂの区間）。
【００２２】
このような符号は、例えば、線速度を低速に維持する低速維持モード、線速度を低速から高速にゆるやかに変化させる高速変化モード、線速度を高速に維持する高速維持モード、および線速度を高速から低速にゆるやかに変化させる低速変化モードの４つのモードを選択的に切り換えてデータを記録することにより埋め込むことができる。
【００２３】
光ディスクの符号を復号する方法には、幾つかの方法が考えられるが、ここでは、２つの方法を説明する。
第１の方法は、複数の分割区間（正確には有効区間）のそれぞれを代表するトラックの一周のデータ数のしきい値をあらかじめ記憶しておき、符号を読み出す際には、複数の分割区間（正確には有効区間）のそれぞれを代表するトラックの一周のデータ数を検出し、検出されたデータ数をあらかじめ記憶された対応するしきい値と比較し、この比較情報に基づいて符号を復号する。検出されたデータ数がしきい値より大きい場合には、記録密度が密であり、検出されたデータ数がしきい値より小さい場合には、記録密度が疎であると判断される。このように、簡単な方法により、光ディスクに埋め込まれた固有の符号を復号することができる。
【００２４】
第２の方法は、検出された線速度をしきい値と比較する代わりに、線速度の変化の傾きを相対的に比較することにより、光ディスクに埋め込まれた固有の符号を復号する。第２の方法は、複数の分割区間（正確には有効区間）のそれぞれを代表するトラックの一周のデータ数を検出し、検出された前後の分割区間のデータ数を比較し、図２に太線で示される、各分割区間の線速度の変化の状態を再現する。
【００２５】
図３は、線速度の変化の傾きを求める方法を示す図である。
図３に示されるように、線速度の変化の傾きは、２つの分割区間のそれぞれのトラック（Ｔ０およびＴ１）間のスパンｄに対し、２つの分割区間のそれぞれのトラックの１トラック内のデータ数または１トラック内のデータの読出時間（ｎ０およびｎ１）を検出し、これらの変化量（ｎ１−ｎ０）をトラック間のスパンｄで除算する（（ｎ１−ｎ０）／ｄ）ことにより得られる。なお、複数の分割区間のスパンｄが一定の場合には、スパンｄの除算を省略することができる。
【００２６】
次に、第２の方法の光ディスク再生方法を具体的に説明する。
図４は、ディスクの判別方法を示すフローチャートである。図５は、図４に示される符号データの読込処理を示すフローチャートである。図６は、図５に示される１トラックの読出時間計測処理を示すフローチャートである。
光ディスクが正規品か海賊版かの判定は、以下のように行なわれる。
図４に示されるように、まず、光ディスクに埋め込まれた符号（データ）の読込処理が行なわれ（ステップＳ１）、読み出された符号とその光ディスクの固有の番号とが比較される（ステップＳ２）。ステップＳ２で、読み出された符号とその光ディスクの固有の番号とが一致したときには、正規ディスクと判定され（ステップＳ３）、光ディスクの再生が行なわれる。一方、ステップＳ２で、読み出された符号とその光ディスクの固有の番号とが一致しないときには、不正ディスクと判定され（ステップＳ４）、光ディスクの再生が停止される。
【００２７】
図４におけるステップＳ１の光ディスクの符号データの読込処理は、以下のように行なわれる。
図５に示されるように、まず、最初のトラックＴにジャンプし（ステップＳ１１）、このトラックＴの１トラックの読出時間計測処理（Ｔｓ）が行なわれ（ステップＳ１２）、このトラックＴが最終トラックかどうかが判定される（ステップＳ１３）。最終トラックでないと判定された場合には、ｒトラック分ジャンプし（ステップＳ１４）、１トラックの読出時間計測処理（Ｔｒ）が行なわれ（ステップＳ１５）、有効区間の傾き（Ｔｒ−Ｔｓ）／ｒが算出されてＲＡＭに記憶される（ステップＳ１６）。次いで、ｓトラック分ジャンプし（ステップＳ１７）、１トラックの読出時間計測処理（Ｔｓ）が行なわれ（ステップＳ１８）、遷移区間の傾き（Ｔｓ−Ｔｒ）／ｓが算出されてＲＡＭに記憶される（ステップＳ１９）。以降、ステップＳ１３〜Ｓ１９が繰り返され、ステップＳ３で最終トラックであると判定された場合には、ＲＡＭに記憶された一連の分割区間（有効区間および遷移区間）の傾きに基づいて図２に示されるようなグラフが再現されて、光ディスクの符号が決定（復号）される（ステップＳ２０）。
【００２８】
図５におけるステップＳ１２、ステップＳ１５およびＳ１８の１トラックの読出時間計測処理は、以下のように行なわれる。
図６に示されるように、まず、トラック上にあるサブコード（Ｓｕｂ  Ｃｏｄｅ）が読み出され、タイマーにより計測が開始され（ステップＳ２１）、１トラック分内周側のトラックにリバースジャンプする（ステップＳ２２）。そして、ステップＳ２１で読み出されたサブコードが再び検出されると、タイマーによる計測が停止され、タイマーにより計測された時間が読み出される（ステップＳ２３）。
【００２９】
図７は、実施例１の光ディスク再生装置の概略構成を示す図である。
図７に示されるように、光ディスク再生装置は、光ディスク１１を回転駆動するメカ１２と、光ディスクの信号を読み出して増幅するＲＦ増幅回路１３と、増幅回路１３により増幅された信号に従来良く知られる種々の信号処理を施す信号処理回路１４と、メカ１２増幅回路１３および信号処理回路１４と相互に接続され、これらの動作を制御するマイクロコンピュータ１５と、図４〜図６に示される光ディスクが正規品か海賊版か判定するプログラムを記憶するＲＯＭ１６とを備える。マイクロコンピュータ１５は、ＣＰＵ２１、ＲＡＭ２２およびタイマー２３を有する。光ディスク１１が本装置にセットされたとき、ＲＯＭ１６に記憶された判定プログラムがＣＰＵ２１により読み出され、ＲＡＭ２２に記憶されて実行される。
【００３０】
このように、実施例１によれば、規格で定められた許容範囲内に線速度を変化させて光ディスクに符号を埋め込むので、ＰＬＬがロックした安定した再生動作により光ディスクの成否判定を行なうことができる。また、分割区間の数に応じたデータ数の符号を構成することができるので、信頼性の高い符号を構成することができる。したがって、光ディスクが正規品か海賊版かを判定する上で有利となる。例えば、一部の符号にエラーが生じた場合でも、残り部分の符号から、成否判定を行なうことも可能となる。さらに、ディスク判別方法を実行するプログラムをあらかじめ記憶しておき、このプログラムを読み出し実行することにより、光ディスクが正規品か海賊版かを判定しているので、ハードウェアの負担がなく、コスト上有利である。
【実施例２】
【００３１】
以下、本発明の実施例２について図面を参照して説明する。
実施例１の光ディスクは、線速度の高低（記録密度の粗密）により２値の符号を構成している。これに対し、実施例２の光ディスクは、例えば、線速度が低速から高速に変化する状態、線速度の高速から低速に変化する状態をパラメータに加え、３値の符号を構成する。
【００３２】
図８は、実施例２の光ディスクの記録面を示す図である。
図８に示されるように、実施例２の光ディスクの記録面には、Ｘ、Ｙ、Ｚの３つの状態のいずれかの状態が、複数の分割区間に割り当てられ、ＸＹＺＺＹＹＸＹの３値データからなる符号が構成されている。Ｘは、記録密度が密から疎（線速度が低速から高速）にゆるやかに変化する状態を意味し、Ｙは、記録密度が維持される（線速度が低速および高速のいずれかの状態にある）ことを意味し、Ｚは、記録密度が疎から密（線速度が高速から低速）にゆるやかに変化する状態を意味している。
【００３３】
図９は、光ディスクに記録されたデータの記録密度の変化を示す図である。
図２における説明と同様に、トラックの長さは光ディスクの半径に比例するため、従来のように一定の線速度でデータが記録された場合には、図９中、点線で示されるように、トラック番号とデータ数との関係は、一定の傾きを有する直線となる。これに対し、図９中、太線で示されるように、Ｘの区間では、傾きが小さくなり、Ｙの区間では、一定の線速度で読み込んだ場合と同じ傾きとなり、Ｚの区間では、傾きが大きくなる。このような符号は、実施例１と同様に、低速維持モード、高速変化モード、高速維持モードおよび低速変化モードの４つのモードを選択的に切り換えてデータを記録することにより埋め込むことができる。
【００３４】
光ディスク再生方法は、幾つか考えられるが、実施例１の第２の方法と同様の方法により行なうことができる。光ディスクが正規品か海賊版かを判定する方法は、実施例１（図４）と同様であり、その説明を省略する。
図１０は、符号データの読込処理を示すフローチャートである。
まず、最初のトラックＴにジャンプし（ステップＳ３１）、このトラックＴの１トラックの読出時間計測処理（Ｔｐ）が行なわれ（ステップＳ３２）、このトラックＴが最終トラックかどうかが判定される（ステップＳ３３）。最終トラックでないと判定された場合には、ｔトラック分ジャンプし（ステップＳ３４）、１トラックの読出時間計測処理（Ｔｃ）が行なわれ（ステップＳ３５）、分割区間の傾き（Ｔｃ−Ｔｐ）／ｔが算出されてＲＡＭに記憶され（ステップＳ３６）、Ｔｐの値をＴｃの値で置き換える（ステップＳ３７）。以降、ステップＳ３３〜Ｓ３７が繰り返され、ステップＳ３３で最終トラックであると判定された場合には、ＲＡＭに記憶された一連の分割区間の傾きに基づいて図９に示されるようなグラフが再現されて、光ディスクの符号が決定（復号）される（ステップＳ３８）。なお、ステップＳ３３およびＳ３５の１トラックの読出時間計測処理は、実施例１（図６）と同様であり、その説明を省略する。
【００３５】
実施例２の光ディスク再生装置は、実施例１の光ディスク再生装置のＲＯＭ１６に記憶された光ディスクが正規品か海賊版かを判定するプログラムの一部を、図１０に示される方法を実行するプログラムに置き換えることにより実現することができる。
【００３６】
このように、実施例２によれば、分割区間の全体にわたり線速度がゆるやかに変化する状態（低速から高速または高速から低速）を与え、この変化の状態をパラメータに加え、３値の符号を構成している。このため、実施例１に比べ、よりゆるやかに線速度を変化させることができる。したがって、ディスク再生装置のＰＬＬのロック状態をいっそう確実に保持した安定な動作により、光ディスクが正規品か海賊版かを判定することができる。
【００３７】
また、光ディスクをＣＤにより構成する場合、前述のように、光ディスクの偏心の許容範囲が±７０μｍであることから、線速度の許容範囲は、１．２〜１．４（ｍ／ｓｅｃ）となるように規定されている。ＰＬＬがロックしたまま、この許容範囲内で線速度をゆるやかに変化させるには、余裕を見ても１００トラック程度あればよい。実施例２は、実施例１よりも多い分割区間を設けることができる。ＣＤの場合、２００００程度のトラックを有するので、２００個程度の分割区間を設け、２００ビットの符号を構成することができる。
【００３８】
なお、実施例２では、Ｘ、Ｙ、Ｚにより３値の符号を構成しているが、符号は３値に限るものではない。実施例２の光ディスク再生方法では、図９に示されるグラフを容易に再現することができるので、例えば、光ディスクにデータを記録する際に選択された４つのモードに対応する４値の符号とすることができる。また、ＸおよびＺを１状態に包含し、線速度が変化する／しないの２値の符号とすることもできる。
【００３９】
また、実施例１および２では、１トラックの読出時間を計測するようにしているが、光ディスクの偏心やディフェクトの影響により、１トラックの計測だけでは正確なトラックの読出時間を検出することが難しい場合が考えられる。このような場合には、１トラックの読出時間を複数回計測し、これらの平均値を求める、あるいは、数本のトラックの読出時間を計測し、これらの平均値を求めることにより、より正確な１トラックの読出時間を求めることができる。
【図面の簡単な説明】
【００４０】
【図１】実施例１の光ディスクの記録面を示す図である。
【図２】光ディスクに記録されたデータの記録密度の変化を示す図である。
【図３】線速度の変化の傾きを求める方法を示す図である。
【図４】正規品か海賊版かを判定する方法を示すフローチャートである。
【図５】符号データの読込処理を示すフローチャートである。
【図６】１トラックの読出時間計測処理を示すフローチャートである。
【図７】実施例１の光ディスク再生装置の概略構成を示す図である。
【図８】実施例２の光ディスクの記録面を示す図である。
【図９】光ディスクに記録されたデータの記録密度の変化を示す図である。
【図１０】符号データの読込処理を示すフローチャートである。
【符号の説明】
【００４１】
１１……光ディスク、１２……メカ、１３……ＲＦ増幅器、１４……信号処理回路、１５……マイクロコンピュータ、１６……ＲＯＭ、２１……ＣＰＵ、２２……ＲＡＭ、２３……タイマ。
【図１】
2006004497.tif 000003
【図２】
2006004497.tif 000004
【図３】
2006004497.tif 000005
【図４】
2006004497.tif 000006
【図５】
2006004497.tif 000007
【図６】
2006004497.tif 000008
【図７】
2006004497.tif 000009
【図８】
2006004497.tif 000010
【図９】
2006004497.tif 000011
【図１０】
2006004497.tif 000012